(57)【要約】【課題】簡易カード部を即時発行できると共に、記載された申込情報を秘匿でき、しかも、申込情報の記載領域と簡易カード部の形成領域に個別情報を同時に印字することを、低コストで実現できるカード付き申込帳票を提供する。【解決手段】第１の帳票部１１は、氏名，住所，勤め先などの申込情報を記載可能な申込情報記載領域ａを有し、第２の帳票部１２は、第１の帳票部１１の左側に連接され、少なくとも申込情報記載領域ａを隠蔽するはがき隠蔽領域ｂを有する隠蔽ラベル構造２０を備え、隠蔽ラベル構造２０は、透明紙基材２３と、この透明紙基材２３の片面に、粘着剤２４を介して剥離紙２５を設けた透明性タックシート２６とが含まれており、透明紙基材２３は、冊子１０の台紙である不透明性の基材１５上に、剥離層２１を介して、接着剤２２によって剥離可能に接着されている。【選択図】　　　　図１
2004009720.tif 000002
【特許請求の範囲】
【請求項１】
申込情報を記載可能な申込情報記載領域を有する第１の帳票部と、
前記第１の帳票部に連接され、少なくとも前記申込情報記載領域を隠蔽する隠蔽領域を有する隠蔽ラベル構造の第２の帳票部と、
前記第２の帳票部の前記隠蔽領域以外の部分の隠蔽ラベル構造を利用して剥離可能に形成された簡易カード部と、
を備えた簡易カード付き申込帳票
【請求項２】
請求項１に記載の簡易カード付き申込帳票において、
前記隠蔽ラベル構造は、
透明性基材と、
前記透明性基材の片面に、粘着剤層を介して剥離シートを設けた透明性タックシートとを含み、
前記透明性基材は、不透明性基材上に剥離可能に接着されていること
を特徴とする簡易カード付き申込帳票。
【請求項３】
請求項２に記載の簡易カード付き申込帳票において、
前記不透明性基材は、この申込帳票の基材であること
を特徴とする簡易カード付き申込帳票。
【請求項４】
請求項２に記載の簡易カード付き申込帳票において、
前記簡易カード部は、前記透明性タックシートから剥離されること
を特徴とする簡易カード付き申込帳票。
【請求項５】
請求項２に記載の簡易カード付き申込帳票において、
前記簡易カード部は、表側カード部分と裏側カード部分に分割されており、
前記表側カード部分及び／又は裏側カード部分は、前記透明性タックシートの粘着剤により、少なくとも一部又は全面が貼り合わされていること
を特徴とする簡易カード付き申込帳票。
【請求項６】
請求項２に記載の簡易カード付き申込帳票において、
前記第２の帳票部の表面又は裏面の一部に、個別情報を印字可能な個別情報印字領域を備えること
を特徴とする簡易カード付き申込帳票。
【請求項７】
請求項６に記載の簡易カード付き申込帳票において、
前記個別情報印字領域は、前記隠蔽領域の外側に剥離不能に配置されることを特徴とする簡易カード付き申込帳票。
【請求項８】
請求項６に記載の簡易カード付き申込帳票において、
前記簡易カード部は、個別情報を印字可能なカード側個別情報印字領域を備え、
前記個別情報印字領域と前記カード側個別情報印字領域に印字される前記各個別情報は、少なくとも一部のデータが、同一又は関連付けされていること
を特徴とする簡易カード付き申込帳票。
【発明の詳細な説明】
【０００１】
【発明の属する技術分野】
本発明は、駅や店舗等、人の集まる場所に置いておき、希望者が持ち帰って葉書で申し込む方式の（バラマキ型の）メールオーダー冊子などに好適なカード付き申込帳票に関するものである。
【０００２】
【従来の技術】従来のメールオーダー冊子は、その一部に封書を含み、この封書の中に冊子内に設けられた申込書を封入して申し込んでいたが、
（１）バラマキ型であるため、回収率が決して高いわけではない、
（２）封書自身のコストも無視できない、
（３）封書の場合は、郵便料金も高価である、
（４）申し込まれた封書の開封作業が面倒である、
等々の理由から、葉書の採用が増えてきている。
【０００３】
しかし、葉書は封書と異なり、情報量が少ないことに加え、記入した情報が第三者から丸見えであるため、プライバシーに関する記入をためらう申込者は、申込そのものをやめてしまったり、別に封筒を用意して申し込んだりして、必ずしも、使い勝手の良いものではなかった。
【０００４】
また、この葉書とは別に、インスタントカードやテンポラリーカードといわれる簡易カードを設けたいというニーズも根強い。
この理由は、そもそも、メールオーダーそのものが、従来の、例えば、
（１）電話やＦＡＸで申し込みをする、
（２）申込書が自宅に郵送される、
（３）申込書を記入してポストに投函する、
というステップを経ない、『即時申込』というスピード感をポイントにしているため、マイレージカード等のポイントカードや割引カードの申込等では、暫定的に、カードを発行しておくことが、非常に、重要であるからである。
つまり、申込書（例えば、はがき）とインスタントカードに、個別ＮＯ．等で、同一又は関連付けされたデータを設けておく必要が生じる。
【０００５】
【発明が解決しようとする課題】
まず、秘匿ラベルについて、提案されている構成とその課題を説明する。
図１０は、ダブルタック方式の隠蔽ラベルの一例を示す図である。
隠蔽ラベル２００は、不透明基材２０１と、透明樹脂フィルムからなる擬似接着層２０２と、樹脂フィルムからなる透明性基材２０３と、第二粘着剤層２０４と、片面剥離フィルム２０５と、第一粘着剤層２０６と、片面剥離の剥離紙２０７とを備えている。剥離紙２０７は、メールオーダー冊子１００の一部で兼ねることもある。
【０００６】
この隠蔽ラベル２００は、葉書とは別の場所に、第一の粘着剤層２０６で冊子１００に、貼り付けて内蔵させておき、矢印Ａの位置から剥離して使用する。個別情報欄へ貼り替えるときには、矢印Ｂの位置から剥離して、第二の粘着剤層２０４によって隠蔽したい個別情報欄上を覆い、この状態で郵送する。
そして、到着した先で、矢印Ｃの位置から擬似接着層２０２によって開封し、透明性基材２０３を介して個別情報を判読する、といったものである。
【０００７】
この隠蔽ラベル２００は、一見してわかるように、非常に複雑な多層構造となっており、これらは、すべてをインライン化して製造できないこともあり、総合的な歩留まりが決して良くないため、高コストな材料であった。
また、擬似接着層２０２／透明性基材２０３等は、Ｔダイでの共押出し法による成形となるため、任意の形状によるパターン化はできず、ストライプ形状（精度の悪い）以外には、部分的に剥離しないようにすることはできなかった。
なお、ストライプ形状とすることは、秘匿ラベルの専用品化となってしまうため、ロットによっては割高となったり、余った分は、長期在庫するか、廃棄するしかなく、産業上、大いなる無駄であった。
【０００８】
そこで、秘匿ラベル自身は、粘着剤をヒートシールに変えて剥離紙をなくしたり、様々な層構成や、材料の組合わせで低コスト化や高機能化の提案が行われているが、顧客の要望するコストを満足するレベルには至っていないのが現実であった。
【０００９】
以上の状況を受け、もっと簡便な秘匿ラベルとして、再剥離型粘着剤によるものが提案されている。
再剥離型粘着剤は、確かに前述した多層ラベルと比較すれば、構造が簡単で材料費も限定的であるため、安価ではあるが、以下の課題がある。
（１）　再剥離型粘着剤とは、言わばメモ用の付箋として使用されているものと同質であり、複数回の接着／剥離が可能であるため、知らないうちに第三者に個別情報が読取られてもその形跡が残らない。つまり、セキュリティ性が低い。
（２）　再剥離型粘着剤は、強粘着剤に架橋剤を添加する系と、一般的なエマルションよりは格段に大きい微球状等の粒子からなり低凝集系があるが、前者は経時や環境変化による接着力上昇、後者は低凝集に依存する糊残りが起こりやすい。つまり、バラマキ型のメールオーダー冊子では、使用したいと思ったときに、狙い通りの効果を発現しない場合がある。
【００１０】
つぎに、インスタントカードについても、提案されている構成とその課題を説明する。
最も安価なタイプは、メールオーダー冊子の台紙に、ミシン目等でカード状に切り取れるように形成したものであるが、当然のごとく、
（１）切り取りにくい（うまく切り取れない）、
（２）ミシン目のタイ部（つながった部分）に毛羽立ちが出るために、体裁が悪い、
（３）毛羽立ちのあるものは紙粉が読取機に入ると故障しやすくなるので、マシンリードさせたくない、
といった声があり、採用もきわめて限定的であった。
そこで、最も一般的なものが、やはり前述した以下のような多層フィルムを利用したものである。
【００１１】
図１１は、インスタントカードの例を示した図である。
インスタントカード３００Ａは、最も高級感の得られるタイプであり、カード基材３０１に、ＰＥＴやＰＰ，ＰＶＣ等の耐水性の高い合成樹脂フィルムを使用することができるものである。
インスタントカード３００Ａは、全面ベタで貼り合せられた多層フィルムに印刷を行い、さらに、基材３０１側からカード形状にハーフカットを設けながらカード外部分を粕上げして、カード部材とし、これをメールオーダー冊子１００にラベラと呼ばれる専用機で貼り込んでいく。
【００１２】
インスタントカード３００Ｂは、上述したインスタントカード３００Ａほどの高級感は得られないものの、一時的な利用では問題なく使用できるものである。カード基材がメールオーダー冊子１００となるため、耐水性等は限定的であるが、そもそも暫定的なカード発行であれば、耐水性そのもの要求はなく、むしろ擬似接着ラベルが多層フィルムに限定されていたために、本来不要な『耐水性』を機能として売り込んでいた面がある。
なお、いずれも、台紙貼付前は、剥離紙で粘着剤を保護している。
【００１３】
以上説明してきたように、葉書の隠蔽ラベル、インスタントカードの内蔵そのものは、様々な提案があり、また実用化されている。
しかし、隠蔽ラベル、インスタントカードを形成するための多層フィルムは、いずれも高価であり、また、ラベラと呼ばれる専用機（一般に印刷やラミネートと比較すると低速）で、２回の貼り込み作業を要するため、部材のコストに加え、生産コストも上がり、媒体単価は、きわめて高価なものにならざるを得なかった。
【００１４】
特に、葉書とインスタントカードに、Ｎｏ．やバーコードを印字する場合に、隠蔽ラベルを表裏面に１枚ずつ貼り込まなくてはならなかったり、又は、葉書用の秘匿ラベルを申込葉書の記入欄とは逆の場所に貼り付けておいたり、葉書の印字面を申込葉書記入欄ではなく宛名面にしたり、といった変更が必要になる。いずれにせよ、申込者及び／又は申込処理を行う側にとっては、使い勝手の悪い媒体となってしまう。
【００１５】
図１２は、カード付きメールオーダー冊子の一般的な例を示す図である。
カード付きメールオーダー冊子１００は、第１〜第４の帳票片１００Ａ〜１００Ｄが、４つ折りされたものであり、第１の帳票片１００Ａには、隠蔽ラベル２００が設けられ、第２の帳票片１００Ｂには、インスタントカード３００が設けられている。
【００１６】
通常、申込処理を行う側では、葉書のコピーを取って保管しておくため、申込者の記入欄ａと、バーコードｆ，ｈは同一面に設けておかないと、コピーを両面で取る必要が生じ、時間的、コスト的なロスが大きくなってしまう。
また、両面プリンタで表裏に同じバーコードｆ，ｈを印字することは物理的に可能であるが、検証方法が不十分であったりした場合に、表裏のバーコードｆ，ｈのマッチングに失敗すると、システム上で大きな不具合を生じることに加え、少なくともコストアップになるため推奨できない。
【００１７】
本発明の課題は、簡易カード部を即時発行できると共に、記載された申込情報を秘匿でき、しかも、申込情報の記載領域と簡易カード部の形成領域に個別情報を同時に印字することを、低コストで実現できるカード付き申込帳票を提供することである。
【００１８】
【課題を解決するための手段】
前記課題を解決するために、請求項１の発明は、申込情報を記載可能な申込情報記載領域を有する第１の帳票部と、前記第１の帳票部に連接され、少なくとも前記申込情報記載領域を隠蔽する隠蔽領域を有する隠蔽ラベル構造の第２の帳票部と、前記第２の帳票部の前記隠蔽領域以外の部分の隠蔽ラベル構造を利用して剥離可能に形成された簡易カード部と、を備えた簡易カード付き申込帳票である。
【００１９】
請求項２の発明は、請求項１に記載の簡易カード付き申込帳票において、前記隠蔽ラベル構造は、透明性基材と、前記透明性基材の片面に、粘着剤層を介して剥離シートを設けた透明性タックシートとを含み、前記透明性基材は、不透明性基材上に剥離可能に接着されていることを特徴とする簡易カード付き申込帳票である。
【００２０】
請求項３の発明は、請求項２に記載の簡易カード付き申込帳票において、前記不透明性基材は、この申込帳票の基材であることを特徴とする簡易カード付き申込帳票である。
【００２１】
請求項４の発明は、請求項２に記載の簡易カード付き申込帳票において、前記簡易カード部は、前記透明性タックシートから剥離されることを特徴とする簡易カード付き申込帳票である。
【００２２】
請求項５の発明は、請求項２に記載の簡易カード付き申込帳票において、前記簡易カード部は、表側カード部分と裏側カード部分に分割されており、前記表側カード部分及び／又は裏側カード部分は、前記透明性タックシートの粘着剤により、少なくとも一部又は全面が貼り合わされていることを特徴とする簡易カード付き申込帳票である。
【００２３】
請求項６の発明は、請求項２に記載の簡易カード付き申込帳票において、前記第２の帳票部の表面又は裏面の一部に、個別情報を印字可能な個別情報印字領域を備えることを特徴とする簡易カード付き申込帳票である。
【００２４】
請求項７の発明は、請求項６に記載の簡易カード付き申込帳票において、前記個別情報印字領域は、前記隠蔽領域の外側に剥離不能に配置されることを特徴とする簡易カード付き申込帳票である。
【００２５】
請求項８の発明は、請求項６に記載の簡易カード付き申込帳票において、前記簡易カード部は、個別情報を印字可能なカード側個別情報印字領域を備え、前記個別情報印字領域と前記カード側個別情報印字領域に印字される前記各個別情報は、少なくとも一部のデータが、同一又は関連付けされていることを特徴とする簡易カード付き申込帳票である。
【００２６】
【発明の実施の形態】
以下、図面等を参照して、本発明の実施の形態について、さらに詳しくに説明する。
図１〜図４は、本発明による簡易カード付き申込帳票の第１実施形態であるカード付きメールオーダー冊子１０を示す図であって、図１は、表面図及び断面図、図２は、裏面図、図３は、外観斜視図、図４は、使用方法の説明図である。
【００２７】
第１実施形態のカード付きメールオーダー冊子（以下、単に冊子という）１０は、図１（Ａ）に示すように、左から第２の帳票部１２と，第１の帳票部１１と，第３の帳票部１３と，第４の帳票部１４とに区画されており、図３に示すように、第１の帳票部１１と第３の帳票部１３との間で２つ折りされた後に、さらに、第１の帳票部１１と第２の帳票部１２の間及び第３の帳票部１３と第４の帳票部１４との間で２つ折りされた４つ折りの冊子となっている。
また、この冊子１０は、図１（Ｂ）に示すように、台紙となる不透明な基材１５と、基材１５の第２の帳票部１２に設けられた隠蔽ラベル構造２０とを備えている。
【００２８】
第１の帳票部１１は、氏名，住所，勤め先などの申込情報を記載可能な申込情報記載領域ａを有する部分である。
【００２９】
第２の帳票部１２は、第１の帳票部１１の左側に連接され、少なくとも申込情報記載領域ａを隠蔽するはがき隠蔽領域ｂを有する隠蔽ラベル構造２０を備えている。この隠蔽ラベル構造２０は、図１（Ｂ）に示すように、植物パルプを主原料としたグラシン紙等の透明紙基材（透明性基材）２３と、この透明紙基材２３の片面に、粘着剤２４を介して剥離紙２５を設けた透明性タックシート２６とが含まれており、透明紙基材２３は、冊子１０の台紙である不透明性の基材１５上に、剥離層２１を介して、接着剤２２によって剥離可能に接着されている。
なお、剥離紙２５には、隠蔽ラベルの貼り方（説明文・図解）２５ａが印刷されている。ｙは、剥離開始用のハーフカットである。
【００３０】
また、第２の帳票部１２は、はがき隠蔽領域ｂ以外のカード形成領域ｃの隠蔽ラベル構造２０を利用して、簡易カード部３０を剥離して形成するように、ハーフカットｄが形成されている。そして、簡易カード部３０は、透明性タックシート２６から剥離されるようになっている。
つまり、簡易カード部３０は、図１（Ｂ）に示すように、基材１５と透明紙基材２３とが接着剤２２によって接着された層構造である。
【００３１】
図２に示すように、第１及び第２の帳票部１１，１２は、はがき部１６が切り取りできるように、ミシン目ｅが形成されている。なお、第１の帳票部１１の裏面がはがきの宛名面１６ａとなっている。
また、第２の帳票部１２は、その裏面の一部に、バーコード（個別情報）ｆを、プリンタによって印字可能な個別情報印字領域１７を備えている。この個別情報印字領域１７は、はがき隠蔽領域ｂの外側に剥離不能に配置され、はがき隠蔽領域ｂと個別情報印字領域１７の境界には、ミシン目ｇが形成されている。
【００３２】
一方、簡易カード部３０は、バーコード（カード側個別情報）ｈが個別情報印字領域１７のバーコードｆと一緒に印字できるように、同一の面（裏面；カード側個別情報領域）に印字可能である。これらのバーコード（個別情報）ｆとバーコード（カード側個別情報）とは、少なくとも一部のデータが、同一又は関連付けされている。
【００３３】
第３及び第４の帳票部１３，１４は、この冊子１０で申し込む申込内容，規則，利用方法等が予め印刷されている部分である。
【００３４】
つぎに、図４を参照しながら、第１実施形態に係る冊子１０のはがきの作成方法を説明する。なお、剥離紙２５に印刷された隠蔽ラベルの貼り方（説明文・図解）２５ａを見ながら作成することができる。
図４（Ａ）に示すように、冊子１０からはがき部１６を、ミシン目ｅで切り離し、右側の申込情報記入欄ａに必要事項を記入する。
つぎに、図４（Ｂ）に示すように、隠蔽ラベル構造２０の剥離紙２５を剥がして、粘着剤２４の部分が右側の申込情報記入欄ａ上に重なるように、内側に折り曲げる（矢印Ｃ）。
さらに、図４（Ｃ）に示すように、全面がよく接着するように貼り合わせて、ポストに投函する。
一方、申込サービスセンターでは、図４（Ｄ）に示すように、届いたはがき部１６のミシン目ｇよりも上を、矢印Ｄのように開封すると、透明紙基材２３を通して、申し込み者の記入内容が確認できる。
ミシン目ｇよりも下の部分１７は、開封しないようにすることが望ましい。この理由は、申込サービスセンターにおいて、申込情報記入欄ａとバーコードｆとを同一面に形成しておくことにより、両者を１枚の紙にコピーして控えを取れるようにするためである。
【００３５】
以上説明したように、第１実施形態によれば、以下のような効果がある。
（１）申込サービスセンターでは、はがき部１６を開封したときに、透明紙基材２３があるので、剥がした面がベタつかない。
（２）透明紙基材２２を使用するため、フィルムを使用した擬似接着ラベル（図１１参照）を使用する場合よりも、安価に製造することができる。
（３）透明紙基材２３で記入内容が保護されるため、安心して長期間の保管を行うことが可能となる。
（４）透明紙基材２３を使用するので、透明紙基材２３上に、水性ペンによる追加記入が可能である。つまり、剥離界面は、透明紙基材上の接着剤と、冊子基材側の剥離インキとの間である。すなわち、剥離した後は、微小領域では透明紙基材自体と接着剤が露出している。接着剤も水溶性保護コロイド等を多く含むエマルション等で水性ペンでの記入が可能である。
（５）透明性タックシート２６を貼り合せた後で、バーコードなどを印字するため、欠番が生じにくい。
（６）印字が片面で良いので、発行コストを削減できる。
（７）簡易カード部３０を安価に形成可能であるので、品種統合（冊子基材に切取り用ミシン目を入れたものと、積層ラベルを利用して剥離可能な構成としたものとの統合）が図れる。
（８）全面を連続的に貼り合せていくため、透明性タック紙と冊子基材との見当がズレ難く、生産性が高い。
【００３６】
（第２実施形態）
図５〜図９は、本発明による簡易カード付き申込帳票の第２実施形態であるカード付きメールオーダー冊子１０Ｂを示す図であって、図５は、表面図及び断面図、図６は、裏面図及び断面図、図７は、外観斜視図、図８は、はがき部の使用方法の説明図、図９は、簡易カード部の使用方法の説明図である。
なお、前述した第１実施形態と同様の機能を果たす部分には、同一の符号を付して、重複する説明を適宜省略する。
第２実施形態の冊子１０Ｂは、図５（Ａ）に示すように、左右に第１の帳票部１１と第２の帳票部１２とが区画されており、第１の帳票部１１と第２の帳票部１２とに直交する方向（上下）の折り曲げ線ｉ，ｊによって、帳票片１０−１，１０−２，１０−３に区画されている。そして、図７に示すように、折り曲げ線ｉ，ｊによって、帳票片１０−１，１０−２，１０−３が３つ折りされた冊子となっている。
帳票片１０−１，１０−２の第１の帳票部１１は、この冊子１０Ｂで申し込む申込内容，規則，利用方法等が予め印刷されている部分である。
また、この冊子１０Ｂは、図５（Ｂ），図６（Ｂ）に示すように、台紙となる不透明な基材１５と、基材１５の第２の帳票部１２に設けられた隠蔽ラベル構造２０とを備えている。
【００３７】
帳票片１０−３の第１の帳票部１１は、氏名，住所，勤め先などの申込情報を記載可能な申込情報記載領域ａを有する部分である。
【００３８】
帳票片１０−３の第２の帳票部１２は、第１の帳票部１１の右側に連接され、少なくとも申込情報記載領域ａを隠蔽するはがき隠蔽領域ｂを有する隠蔽ラベル構造２０を備えている。
この隠蔽ラベル構造２０は、図５（Ｂ），図６（Ｂ）に示すように、植物パルプを主原料としたグラシン紙等の透明紙基材（透明性基材）２３と、この透明紙基材２３の片面に、粘着剤２４を介して剥離紙２５を設けた透明性タックシート２６とが含まれており、透明紙基材２３は、冊子１０の台紙である不透明性の基材１５上に、剥離層２１を介して、接着剤２２によって剥離可能に接着されている。
【００３９】
また、帳票片１０−１、１０−２の第２の帳票部１２は、はがき隠蔽領域ｂ以外のカード形成領域ｃの隠蔽ラベル構造２０を利用して、簡易カード部３０を剥離して形成するように、ハーフカットｄ［図６（Ｂ）のｄ１，ｄ２］が形成されている。
【００４０】
図５，図６に示すように、帳票片１０−３の第１及び第２の帳票部１１，１２は、はがき部１６が切り取りできるように、ミシン目ｅが形成されている。なお、第１の帳票部１１の裏面がはがきの宛名面１６ａとなっている。
また、帳票片１０−３の第２の帳票部１２は、その裏面の一部に、バーコード（個別情報）ｆを、プリンタによって印字可能な個別情報印字領域１７を備えている。この個別情報印字領域１７は、はがき隠蔽領域ｂの外側に剥離不能に配置され、はがき隠蔽領域ｂと個別情報印字領域１７の境界には、ミシン目ｇが形成されている。
【００４１】
一方、簡易カード部３０は、バーコード（カード側個別情報）ｈが個別情報印字領域１７のバーコードｆと一緒に印字できるように、同一の面（裏面；カード側個別情報領域）に印字可能である。これらのバーコード（個別情報）ｆとバーコード（カード側個別情報）とは、少なくとも一部のデータが、同一又は関連付けされている。
【００４２】
つぎに、図８を参照しながら、第２実施形態に係る冊子１０Ｂのはがきの作成方法を説明する。
図８（Ａ）に示すように、冊子１０Ｂから帳票片１０−３を、ミシン目ｅで切り離し、左側の個人情報記入エリア（申込情報記入欄）ａに必要事項を記入する。このとき、秘匿したい情報を記載する秘匿エリアａ１が右側に集中して配置されている。
つぎに、図８（Ｂ）に示すように、隠蔽ラベル構造２０の剥離紙２５を剥がして、粘着剤２４の部分が秘匿エリアａ１上に重なるように、内側に折り畳む（矢印Ｃ）。
さらに、図８（Ｃ）に示すように、全面がよく接着するように貼り合わせて、ポストに投函する。
一方、申込サービスセンターでは、図８（Ｄ）に示すように、届いたはがき部１６のミシン目ｇよりも左側を、矢印Ｄのように開封すると、透明紙基材２３を通して、申し込み者の記入内容が確認できる。
【００４３】
最後に、図９を参照しながら、第２実施形態に係る冊子１０Ｂの簡易カード部３０の作成方法を説明する。
図９（Ａ）に示すように、帳票片１０−１にあるカードＡ面（表側カード部分）３０Ａを、ハーフカットｄ１［図６（Ｂ）参照）］に沿って、台紙から剥がし、印刷面が下になるようにして机の上に置く。ここで、カードＡ面３０Ａは、基材１５のみで構成される。
図９（Ｂ）に示すように、帳票片１０−２にあるカードＢ面（裏側カード部分）３０Ｂを、ハーフカットｄ２［図６（Ｂ）参照）］に沿って、台紙から剥がし、机の上に置いたカードＡ面３０Ａの裏面に、貼り合わせる。ここで、カードＢ面３０Ｂは、透明紙基材２３と粘着剤２４を含む状態で構成される。
図９（Ｃ）に示すように、裏面に粘着剤２４を含むカードＢ面３０Ｂは、貼り合わせ後に、簡易カード部３０がべたつかないように、カードＡ面３０Ａよりも若干小さくしておくことが望ましい。
【００４４】
以上のように、第２実施形態の簡易カード部３０は、カードＡ面３０ＡとカードＢ面３０Ｂとに分割れており、カードＡ面３０ＡとカードＢ面３０Ｂとは、透明性タックシート２６の粘着剤２５により、貼り合わされている。
【００４５】
（変形形態）
以上説明した実施形態に限定されることなく、種々の変形や変更が可能であって、それらも本発明の均等の範囲内である。
（１）第１実施形態において、第２の帳票部１２の裏面に、バーコードの印字領域を設けたが表面であってもよい。
（２）第２実施形態において、簡易カード部３０は、台紙（基材１５）の厚みでよい場合には、カードＡ面３０Ａのみで使用してもよい。
逆に、簡易カード部３０を厚くしたい場合には、カードＡ面３０ＡとカードＢ面３０Ｂとの両方を、透明紙基材２３と粘着剤２４を含む状態で貼り合わせるようにすればよい。
【００４６】
【発明の効果】
以上詳しく説明したように、本発明によれば、簡易カード部を即時発行できると共に、記載された申込情報を秘匿でき、しかも、申込情報の記載領域と簡易カード部の形成領域に個別情報を同時に印字することを実現できるカード付き申込帳票を低コストで提供することができる、という効果がある。
【図面の簡単な説明】
【図１】本発明による簡易カード付き申込帳票の第１実施形態を示す表面図及び断面図である。
【図２】本発明による簡易カード付き申込帳票の第１実施形態を示す裏面図である。
【図３】本発明による簡易カード付き申込帳票の第１実施形態を示す外観斜視図である。
【図４】本発明による簡易カード付き申込帳票の第１実施形態の使用方法の説明図である。
【図５】本発明による簡易カード付き申込帳票の第２実施形態を示す表面図及び断面図である。
【図６】本発明による簡易カード付き申込帳票の第２実施形態を示す裏面図及び断面図である。
【図７】本発明による簡易カード付き申込帳票の第２実施形態を示す外観斜視図である。
【図８】本発明による簡易カード付き申込帳票の第２実施形態のはがき部の使用方法の説明図である。
【図９】本発明による簡易カード付き申込帳票の第２実施形態の簡易カード部の使用方法の説明図である。
【図１０】ダブルタック方式の隠蔽ラベルの一例を示す図である。
【図１１】インスタントカードの例を示した図である。
【図１２】カード付きメールオーダー冊子の一般的な例を示す図である。
【符号の説明】
１０　カード付きメールオーダー冊子
１１　第１の帳票部
１２　第２の帳票部
１５　基材
２０　隠蔽ラベル構造
２１　剥離層
２２　接着剤
２３　透明紙基材（透明性基材）
２４　粘着剤
２５　剥離紙
２６　透明性タックシート
３０　簡易カード部
【図１】
2004009720.tif 000003
【図２】
2004009720.tif 000004
【図３】
2004009720.tif 000005
【図４】
2004009720.tif 000006
【図５】
2004009720.tif 000007
【図６】
2004009720.tif 000008
【図７】
2004009720.tif 000009
【図８】
2004009720.tif 000010
【図９】
2004009720.tif 000011
【図１０】
2004009720.tif 000012
【図１１】
2004009720.tif 000013
【図１２】
2004009720.tif 000014